(57)【要約】  【課題】  補強バンドの先端の鋭利なエッジ部分によってフェイスパネルに傷が発生することのない、安全性の高い陰極線管を提供する。  【解決手段】  内面に蛍光体スクリーンを有するフェイスパネル２と、フェイスパネル２の後方に接続されたファンネルとによりバルブを形成する。フェイスパネル２のスカート部２ｓの外周面に、バルブの爆縮を防止するための補強バンド６を、焼嵌めによって装着する。フェイスパネル２のスカート部２ｓの外周面の、補強バンド６の継ぎ目部分９に対応する位置に凹所１０を設ける。【選択図】  図１
2006236932.tif 000002
【特許請求の範囲】
【請求項１】
内面に蛍光体スクリーンを有するフェイスパネルと、フェイスパネルの後方に接続されたファンネルとからなるバルブと、
前記フェイスパネルのスカート部外周面に装着された補強バンドとを備えた陰極線管であって、
前記フェイスパネルの前記スカート部外周面の、少なくとも前記補強バンドの先端部分に対応する位置に、凹所が設けられていることを特徴とする陰極線管。
【請求項２】
前記補強バンドは、予め環状に形成された後、焼嵌めによって前記フェイスパネルの前記スカート部外周面に装着されている請求項１に記載の陰極線管。
【請求項３】
前記補強バンドは、帯状の金属板の両端部を重ね合わせ、当該重ね合わせ部分を溶接することによって環状に形成されている請求項２に記載の陰極線管。
【請求項４】
前記補強バンドは、帯状の金属板の両端を突き合わせ、当該突き合わせ部分に金属製の継ぎ板を重ね合わせて前記金属板と溶接することによって環状に形成されている請求項２に記載の陰極線管。
【発明の詳細な説明】
【技術分野】
【０００１】
本発明は、フェイスパネルとファンネルとからなるバルブの爆縮を防止するためにフェイスパネルのスカート部外周面に補強バンドが装着された陰極線管に関する。
【背景技術】
【０００２】
図５に、テレビジョン受像機等に用いられる一般的な陰極線管の基本構成を示す。図５に示すように、一般に、陰極線管１６は、内面に蛍光体スクリーンを有するフェイスパネル１７と、フェイスパネル１７の後方に接続され、電子銃等が内蔵されたファンネル３とからなるバルブ４を具備している。また、フェイスパネル１７のスカート部１７ｓの外周面には、片面粘着テープが巻かれ、その上にバルブ４の爆縮を防止するための補強バンド６が装着されている。また、補強バンド６の各コーナー部には取付用ラグ７が設けられている。そして、陰極線管１６を筐体（キャビネット）内に挿入し、ネジによって取付用ラグ７を筐体の内側に設けられた固定面に締め付け固定することにより、陰極線管１６が筐体に組み込まれる。
【０００３】
図６に示すように、補強バンド６は、通常、帯状の金属板８の両端部を重ね合わせ、当該重ね合わせ部分を溶接することによって予め環状に形成されている（重ね合わせて溶接した部分を、「継ぎ目部分９」という）。そして、このように予め環状に形成された補強バンド６は、焼嵌めによってフェイスパネル１７のスカート部１７ｓの外周面に装着される。これにより、フェイスパネル１７のスカート部１７ｓの外周面が締め付けられて、バルブ４の爆縮が防止される（例えば、特許文献１、２参照）。
【特許文献１】特開昭５５−３７７１６号公報
【特許文献２】特開昭５６−３５３５７号公報
【発明の開示】
【発明が解決しようとする課題】
【０００４】
ところで、図７に示すように、フェイスパネル１７のスカート部１７ｓの管軸に垂直な面の外形は、外に凸の略円弧状の輪郭を結んだ形状となっている。そして、図８に示すように、補強バンド６には、フェイスパネル１７のスカート部１７ｓの外周面への焼嵌め時に、張力（テンション）Ｔが生じ、継ぎ目部分９で補強バンド６の先端がフェイスパネル１７側に屈曲して、補強バンド６の先端の鋭利なエッジ部分がフェイスパネル１７のスカート部１７ｓの外周面に接触してしまう。このため、フェイスパネル１７に傷が発生し、場合によってはフェイスパネル１７が破損してしまうおそれがある。
【０００５】
本発明は、従来技術における前記課題を解決するためになされたものであり、補強バンドの先端の鋭利なエッジ部分によってフェイスパネルに傷が発生することのない、安全性の高い陰極線管を提供することを目的とする。
【課題を解決するための手段】
【０００６】
前記目的を達成するため、本発明に係る陰極線管の構成は、内面に蛍光体スクリーンを有するフェイスパネルと、フェイスパネルの後方に接続されたファンネルとからなるバルブと、
前記フェイスパネルのスカート部外周面に装着された補強バンドとを備えた陰極線管であって、
前記フェイスパネルの前記スカート部外周面の、少なくとも前記補強バンドの先端部分に対応する位置に、凹所が設けられていることを特徴とする。
【０００７】
本発明は、前記補強バンドが、予め環状に形成された後、焼嵌めによって前記フェイスパネルの前記スカート部外周面に装着される場合に有用である。
【０００８】
前記補強バンドは、帯状の金属板の両端部を重ね合わせ、当該重ね合わせ部分を溶接することによって環状に形成されるか、又は、帯状の金属板の両端を突き合わせ、当該突き合わせ部分に金属製の継ぎ板を重ね合わせて前記金属板と溶接することによって環状に形成される。
【発明の効果】
【０００９】
本発明によれば、フェイスパネルのスカート部の外周面に装着される補強バンドの少なくとも先端部分が、フェイスパネルのスカート部の外周面から離間して配置されることになる。このため、フェイスパネルのスカート部の外周面への焼嵌め時に補強バンドの先端がフェイスパネル側に屈曲しても、補強バンドの先端の鋭利なエッジ部分がフェイスパネルのスカート部の外周面に接触することはない。従って、フェイスパネルに傷が発生して破損してしまうおそれはないので、安全性の高い陰極線管を提供することが可能となる。
【発明を実施するための最良の形態】
【００１０】
以下、実施の形態を用いて本発明をさらに具体的に説明する。
【００１１】
［第１の実施の形態］
本実施の形態における陰極線管、並びにそれに装着される補強バンドの基本構成は、図５、図６に示した一般的な陰極線管、並びにそれに装着される補強バンドと同様であるため、本実施の形態においては、図５、図６をも参照しながら説明する。
【００１２】
図１は本発明の第１の実施の形態における補強バンドが装着された陰極線管のフェイスパネルのスカート部を、管軸に垂直な面で切断して示した部分断面図である。
【００１３】
図５に示すように、本実施の形態の陰極線管１は、ガラスで形成されたフェイスパネル２と、フェイスパネル２の後方に接続され、同じくガラスで形成されたファンネル３とからなるバルブ４を具備している。ここで、フェイスパネル２は、内面に蛍光体スクリーンを有する前面パネル２ｆと、前面パネル２ｆの周縁から管軸方向に沿って後方に延びるスカート部２ｓとがガラスのモールド成形によって一体に形成されて構成されている。そして、フェイスパネル２のスカート部２ｓとファンネル３とが接合部５においてフリットガラスを介して接合された後、排気・封止されて、気密性を有するバルブ４が得られる。
【００１４】
フェイスパネル２のスカート部２ｓの外周面には、片面粘着テープが巻かれ、その上にバルブ４の爆縮を防止するための補強バンド６が装着されている。また、補強バンド６の各コーナー部には取付用ラグ７が設けられている。そして、陰極線管１を筐体（キャビネット）内に挿入し、ネジによって取付用ラグ７を筐体の内側に設けられた固定面に締め付け固定することにより、陰極線管１が筐体に組み込まれる。
【００１５】
以下、２９型の陰極線管に用いられる補強バンドを例に挙げて、その構造を説明する。
【００１６】
図６に示すように、補強バンド６は、厚み１．６ｍｍ、幅５０ｍｍ、長さ２０８２ｍｍの帯状の金属板８（例えば、冷間圧延鋼板）の両端部を重ね合わせ（重ね合わせの長さ：４０ｍｍ）、当該重ね合わせ部分をスポット溶接やプロジェクション溶接などによって固着することにより、予め環状に形成されている。以下、補強バンド６の、重ね合わせて溶接した部分を、「継ぎ目部分９」という。そして、このように予め環状に形成された補強バンド６は、焼嵌めによってフェイスパネル２のスカート部２ｓの外周面に装着される。
【００１７】
図１に示すように、フェイスパネル２のスカート部２ｓの外周面の、補強バンド６の継ぎ目部分９に対応する位置には、当該継ぎ目部分９の表面積よりも広く、かつ、金属板８の板厚の約２倍の深さを有する凹所１０が設けられている。
【００１８】
この凹所１０は、以下のようにして形成することができる。図２に示すように、フェイスパネル２は、ダイとシェルとからなる金型とプランジャーとを用いたプレス加工によって作製される。ダイとシェルとの継目を、モールドマッチラインといい、このモールドマッチライン部分でフェイスパネル２の外周長が最も長くなる。従って、このモールドマッチライン部分付近で金型を内側に突出させる（金型に肉盛りする）ことにより、フェイスパネル２の外周面に、図１に示すような凹所１０を形成することができる。
【００１９】
以上のように、フェイスパネル２のスカート部２ｓの外周面の、補強バンド６の継ぎ目部分９に対応する位置に凹所１０を設けることにより、フェイスパネル２のスカート部２ｓの外周面に装着される補強バンド６の継ぎ目部分９が、フェイスパネル２のスカート部２ｓの外周面から離間して配置されることになる。このため、フェイスパネル２のスカート部２ｓの外周面への焼嵌め時に補強バンド６の先端がフェイスパネル２側に屈曲しても、補強バンド６の先端の鋭利なエッジ部分がフェイスパネル２のスカート部２ｓの外周面に接触することはない。従って、フェイスパネル２に傷が発生して破損してしまうおそれはないので、安全性の高い陰極線管を提供することが可能となる。
【００２０】
［第２の実施の形態］
上記第１の実施の形態においては、帯状の金属板８の両端を重ね合わせ、当該重ね合わせ部分を溶接することによって予め環状に形成される補強バンド６を用いる場合を例に挙げて説明したが、本発明はかかる構成の補強バンド６を用いる場合に限定されるものではなく、例えば、以下に説明する構成の補強バンドを用いる場合にも有用である。尚、補強バンド以外の他の部材の構成は上記第１の実施の形態の場合と同様であるため、その詳細な説明については省略する。
【００２１】
図３は本発明の第２の実施の形態で用いられる補強バンドを示す斜視図、図４は本発明の第２の実施の形態における補強バンドが装着された陰極線管のフェイスパネルのスカート部を、管軸に垂直な面で切断して示した部分拡大断面図である。
【００２２】
図３に示すように、本実施の形態で用いられる補強バンド１１は、厚み１．６ｍｍ、幅５０ｍｍ、長さ２０４２ｍｍの帯状の金属板１２（例えば、冷間圧延鋼板）の両端を突き合わせ、当該突き合わせ部分に、厚み１．６ｍｍ、幅５０ｍｍ、長さ７０ｍｍの金属製の継ぎ板１３（例えば、冷間圧延鋼板又はステンレス鋼板）を重ね合わせて、継ぎ板１３と金属板１２とをスポット溶接やプロジェクション溶接などによって固着することにより、予め環状に形成されている（この補強バンド１１も、上記第１の実施の形態の場合と同様に、２９型の陰極線管に用いられるものである）。以下、補強バンド１１の、継ぎ板１３によって固着された部分を、「継ぎ目部分１４」という。そして、このように予め環状に形成された補強バンド１１は、焼嵌めによってフェイスパネル２のスカート部２ｓの外周面に装着される（図５参照）。
【００２３】
図４に示すように、フェイスパネル２のスカート部２ｓの外周面の、補強バンド１１の継ぎ目部分１４に対応する位置には、上記第１の実施の形態の場合と同様に、当該継ぎ目部分１４の表面積よりも広く、かつ、金属板１２の板厚の約２倍の深さを有する凹所１５が設けられている。この凹所１５は、上記第１の実施の形態と同様の方法により形成することができる（図２参照）。
上記構成の補強バンド１１（図３）の場合も、当該補強バンド１１には、フェイスパネル２のスカート部２ｓの外周面への焼嵌め時に、張力（テンション）が生じ、継ぎ目部分１４で補強バンド１１の先端がフェイスパネル２側に屈曲する。しかし、上記したように、フェイスパネル２のスカート部２ｓの外周面の、補強バンド１１の継ぎ目部分１４に対応する位置には凹所１５が設けられているので、フェイスパネル２のスカート部２ｓの外周面に装着される補強バンド１１の継ぎ目部分１４は、フェイスパネル２のスカート部２ｓの外周面から離間して配置されることになる。このため、補強バンド１１の先端がフェイスパネル２側に屈曲しても、補強バンド１１の先端の鋭利なエッジ部分がフェイスパネル２のスカート部２ｓの外周面に接触することはない。従って、フェイスパネル２に傷が発生して破損してしまうおそれはないので、安全性の高い陰極線管を提供することが可能となる。特に、本実施の形態で用いられる補強バンド１１の場合には、その両端がともにフェイスパネル２側に屈曲することとなるので、本発明の構成を採用した場合の効果は大きい。
【００２４】
尚、上記実施の形態においては、フェイスパネルのスカート部外周面の、補強バンドの継ぎ目部分に対応する位置に凹所が設けられているが、必ずしもこの構成に限定されるものではなく、フェイスパネルのスカート部外周面の、少なくとも補強バンドの先端部分に対応する位置に、凹所が設けられていればよい。
【００２５】
また、上記実施の形態においては、補強バンドの構成部材である金属板の板厚の約２倍の深さを有する凹所が設けられているが、必ずしもこの構成に限定されるものではなく、フェイスパネルのスカート部外周面への焼嵌め時に補強バンドの先端がフェイスパネル側に屈曲した場合に、補強バンドの先端の鋭利なエッジ部分がフェイスパネル２スカート部外周面に接触することのない深さであればよい。
【図面の簡単な説明】
【００２６】
【図１】本発明の第１の実施の形態における補強バンドが装着された陰極線管のフェイスパネルのスカート部を、管軸に垂直な面で切断して示した部分拡大断面図
【図２】本発明の第１及び第２の実施の形態におけるフェイスパネルへの凹所の形成方法を説明するための図
【図３】本発明の第２の実施の形態で用いられる補強バンドを示す斜視図
【図４】本発明の第２の実施の形態における補強バンドが装着された陰極線管のフェイスパネルのスカート部を、管軸に垂直な面で切断して示した部分拡大断面図
【図５】陰極線管の基本構成を示す側面図
【図６】補強バンドの基本構成を示す斜視図
【図７】従来技術における補強バンドが装着された陰極線管のフェイスパネルのスカート部を、管軸に垂直な面で切断して示した断面図
【図８】従来技術における補強バンドが装着された陰極線管のフェイスパネルのスカート部を、管軸に垂直な面で切断して示した部分拡大断面図
【符号の説明】
【００２７】
１  陰極線管
２  フェイスパネル
２ｆ  前面パネル
２ｓ  スカート部
３  ファンネル
４  バルブ
５  接合部
６、１１  補強バンド
８、１２  金属板
９、１４  継ぎ目部分
１０、１５  凹所
１３  継ぎ板
【図１】
2006236932.tif 000003
【図２】
2006236932.tif 000004
【図３】
2006236932.tif 000005
【図４】
2006236932.tif 000006
【図５】
2006236932.tif 000007
【図６】
2006236932.tif 000008
【図７】
2006236932.tif 000009
【図８】
2006236932.tif 000010